(57)【要約】【課題】複数の記録・再生層を持つ多層構造の光ディスクにおいて、確実に焦点合わせを行う。【解決手段】同心円状に形成される溝を有する記録再生領域と、内周付近の一定領域に一定幅の半径方向の溝を形成した校正領域１２とを有し、該校正領域には、少なくともそれぞれ波長の異なるレーザ光に対応する複数の記録層が存在する光ディスク１０をアクセスする。焦点合わせ制御回路４０は、ディスクアクセスの初期化において、校正領域１２にそれぞれ波長の異なるレーザ光を順次照射して得られる反射光が合焦となるそれぞれの位置に対応するそれぞれのフォーカスサーボの補正バイアス値を保持し、記録再生領域のアクセス時に、所定の波長のレーザ光を記録再生領域に照射して得られる反射光の焦点合わせを、所定の波長のレーザ光に対応する補正バイアス値に基づいて行う。【選択図】図２
2007305226.tif 000002
【特許請求の範囲】
【請求項１】
同心円状に形成される溝を有する記録再生領域と、所定の領域に一定幅の半径方向の溝を形成した校正領域とを有し、該校正領域には、少なくともそれぞれ波長の異なるレーザ光に対応する複数の記録層が存在する光ディスクをアクセスする光ディスク装置であって、
前記校正領域における複数の記録層に対応するそれぞれ波長の異なるレーザ光を前記光ディスクに照射するレーザ光発生器と、
前記光ディスクの記録層からの反射光を電気信号に変換する光センサと、
ディスクアクセスの初期化において、前記校正領域にそれぞれ波長の異なるレーザ光を順次照射して得られる反射光が合焦となるそれぞれの位置に対応するフォーカスサーボの補正バイアス値をそれぞれ保持し、記録再生領域のアクセス時に、所定の波長のレーザ光を記録再生領域に照射して得られる反射光の焦点合わせにおいて、前記所定の波長のレーザ光に対応する前記補正バイアス値に基づいて駆動信号を出力する焦点合わせ制御回路と、
前記駆動信号によって、レンズの焦点を光ディスクの記録層に対して位置決めする焦点方向駆動コイルと、
を備えることを特徴とする光ディスク装置。
【請求項２】
前記焦点合わせ制御回路は、
前記電気信号に含まれる焦点制御信号を分離出力する高域フィルタと、
前記高域フィルタで分離された焦点制御信号の高周波成分の最大値を元に前記補正バイアス値を求めるレベル判定回路と、
前記複数の記録層のそれぞれに対応する前記補正バイアス値を保持して要求に応じて出力する補正バイアス生成器と、
前記補正バイアス値の供給を受けながら、焦点合わせを行うに要する電圧値を出力する焦点レベル生成器と、
前記焦点レベル生成器が出力する電圧値に応じて前記焦点方向駆動コイルに駆動信号を出力する焦点方向駆動アンプと、
を備えることを特徴とする請求項１記載の光ディスク装置。
【請求項３】
前記レベル判定回路は、
前記分離された焦点制御信号成分の高周波成分の最大値を記憶するピークホールド回路と、
前記ピークホールド回路の出力をデジタル数値に変換するＡＤ変換器と
を備え、
前記補正バイアス生成器は、
前記ＡＤ変換器の出力データを複数の記録層のそれぞれに対応させてそれぞれ記憶する複数の補正バイアス生成回路を備え、
前記記録再生領域のアクセス時に、アクセス対象となる記録層に対応して前記複数の補正バイアス生成回路の一つを選択し、出力される出力値を前記焦点レベル生成器に供給することを特徴とする請求項２記載の光ディスク装置。
【請求項４】
同心円状に形成される溝を有する記録再生領域と、
所定の領域に一定幅の半径方向の溝を形成した校正領域とを有し、
該校正領域に、少なくともそれぞれ波長の異なるレーザ光に対応する複数の記録層を備えることを特徴とする光ディスク。
【請求項５】
前記複数の記録層にそれぞれ対応する記録層を前記記録再生領域に備えることを特徴とする請求項４記載の光ディスク。
【請求項６】
同心円状に形成される溝を有する記録再生領域と、所定の領域に一定幅の半径方向の溝を形成した校正領域とを有し、該校正領域には、少なくともそれぞれ波長の異なるレーザ光に対応する複数の記録層が存在する光ディスクを光ディスク装置がアクセスしてフォーカスサーボを行う方法であって、
ディスクアクセスの初期化において、前記校正領域にそれぞれ波長の異なるレーザ光を順次照射して得られる反射光が合焦となるそれぞれの位置に対応するそれぞれのフォーカスサーボの補正バイアス値を保持するステップと、
前記記録再生領域のアクセス時に、所定の波長のレーザ光を記録再生領域に照射して得られる反射光の焦点合わせを、前記所定の波長のレーザ光に対応する前記補正バイアス値に基づいて行うステップと、
を含むことを特徴とするフォーカスサーボ方法。
【請求項７】
前記補正バイアス値を保持するステップにおいて、反射光を電気信号の変換して得たセンサ信号の振幅から反射光が合焦となる位置を判定し、前記電気信号の高周波成分の振幅が最大値となる時点のセンサ信号のレベルを元に前記補正バイアス値を求めることを特徴とする請求項６記載のフォーカスサーボ方法。
【請求項８】
同心円状に形成される溝を有する記録再生領域と、所定の領域に一定幅の半径方向の溝を形成した校正領域とを有し、該校正領域には、少なくともそれぞれ波長の異なるレーザ光に対応する複数の記録層が存在する光ディスクをアクセスする光ディスク装置を構成するコンピュータに、
前記校正領域にそれぞれ波長の異なるレーザ光を順次照射して得られる反射光が合焦となるそれぞれの位置に対応するそれぞれのフォーカスサーボの補正バイアス値を保持するディスクアクセス初期化処理と、
所定の波長のレーザ光を記録再生領域に照射して得られる反射光の焦点合わせのためのサーボ信号を、前記所定の波長のレーザ光に対応する前記補正バイアス値に基づいて生成する記録再生領域アクセス処理と、
を実行させるプログラム。
【請求項９】
前記ディスクアクセス初期化処理において、反射光を電気信号の変換して得たセンサ信号の振幅から反射光が合焦となる位置を判定し、前記電気信号の高周波成分の振幅が最大値となる時点のセンサ信号のレベルを元に前記補正バイアス値を求めることを特徴とする請求項８記載のプログラム。
【発明の詳細な説明】
【技術分野】
【０００１】
本発明は、光ディスク装置、光ディスク、フォーカスサーボ方法およびプログラムに関し、特に光ディスクからの反射光を基にした自動焦点合わせ技術に関する。
【背景技術】
【０００２】
光ディスク装置は、渦巻状または円周状に記憶・再生トラックが形成される光ディスクの所望のトラックにアクセスするために、光学ピックアップ（光ヘッド）を光ディスクの半径方向およびレンズの焦点方向に移動させて、リードライトを行う。この焦点方向の移動の際に、レンズの位置合わせを目的として、光ディスクの一部にフォーカスサーボ調整領域（校正領域）を設けて焦点ずれを補正する技術が知られている（特許文献１、２参照）。
【０００３】
特許文献１に記載の光ディスク装置は、単一波長の直線偏光レーザ光を光ディスク媒体に当て、その反射光を分離して二分割ホトセンサに入力し、その差信号と和信号を取り出し、その二つの信号を用いて自動焦点合わせを行う。和信号のうちの高域信号を通過させる高域フィルタと、高域フィルタを通過した信号を積分する積分器と、信号をデジタル信号に変換するＡ−Ｄ変換器と、変換された校正レベルデータとして以前の校正レベルデータと比較演算するマイクロプロセッサと、演算結果を基に対物レンズを焦点方向に移動させるアナログ信号に変換するＤ−Ａ変換器と、アナログ信号の入力により電磁コイルを駆動する電力を出力する電力増幅器とを備える。なお、光ディスク媒体は、同心円状に形成されるトラックの溝とは別に光ディスク媒体の内周付近の一定領域に一定幅の半径方向の溝を形成している。
【０００４】
特許文献２に記載の光ディスク装置は、半径方向に凹凸形状を配したフォーカスサーボ調整領域を含む光ディスクにフォーカスサーボを行う。単一のレンズによる回折限界を超えてレーザ光を光ディスクに集光照射する対物レンズを含む光ピックアップをフォーカスサーボ調整領域に移動させ、フォーカスサーボ調整領域においてフォーカス引き込みを行う。そして、対物レンズを光ディスクの半径方向に移動させ、凹凸形状に起因して検出した再生信号のピークを検出し、再生信号のピークが最大となるようにフォーカスサーボのオフセットを調整する。
【０００５】
このような光ディスク装置によれば、光ディスクにフォーカスサーボ調整領域（校正領域）を設け、この領域にアクセスして焦点ずれのための補正値を求めて、この補正値によって焦点ずれを補正するので、正確な焦点合わせを行うことができる。
【０００６】
【特許文献１】特開平６−６０４０７号公報
【特許文献２】特開２００１−９３１６３号公報
【発明の開示】
【発明が解決しようとする課題】
【０００７】
ところで、近年、光ディスクの記録密度が高められ、複数の記録層を設けた光ディスクが存在する。従来の光ディスク装置の焦点制御において、反射率がある一定の範囲（規格内）にある場合には、焦点合わせを正常に行うことが可能である。しかし、複数の記録層を持つ光ディスクでは、反射率が異なるために焦点合わせを確実に行うことが出来なくなってしまう。データの再生のみに供する場合、レンズが合焦点付近にあれば、データの再生処理にあまり影響を及ぼさない場合もある。一方、データの記録過程においては、記録面に対するエネルギー密度が分散したり、データピットの大きさ・形状が変わってしまったりする等の理由で、正常に記録が行えなくなる可能性が増大する。
【０００８】
本発明の目的は、複数の記録・再生層を持つ多層構造の光ディスクにおいて、確実に焦点合わせを行う焦点合わせ技術を提供することにある。
【課題を解決するための手段】
【０００９】
本発明の１つのアスペクトに係る光ディスク装置は、同心円状に形成される溝を有する記録再生領域と、所定の領域に一定幅の半径方向の溝を形成した校正領域とを有し、該校正領域には、少なくともそれぞれ波長の異なるレーザ光に対応する複数の記録層が存在する光ディスクをアクセスする光ディスク装置であって、校正領域における複数の記録層に対応するそれぞれ波長の異なるレーザ光を光ディスクに照射するレーザ光発生器と、光ディスクの記録層からの反射光を電気信号に変換する光センサと、ディスクアクセスの初期化において、校正領域にそれぞれ波長の異なるレーザ光を順次照射して得られる反射光が合焦となるそれぞれの位置に対応するフォーカスサーボの補正バイアス値をそれぞれ保持し、記録再生領域のアクセス時に、所定の波長のレーザ光を記録再生領域に照射して得られる反射光の焦点合わせにおいて、所定の波長のレーザ光に対応する補正バイアス値に基づいて駆動信号を出力する焦点合わせ制御回路と、駆動信号によって、レンズの焦点を光ディスクの記録層に対して位置決めする焦点方向駆動コイルと、を備える。
【００１０】
第１の展開形態の光ディスク装置において、焦点合わせ制御回路は、電気信号に含まれる焦点制御信号を分離出力する高域フィルタと、高域フィルタで分離された焦点制御信号の高周波成分の最大値を元に補正バイアス値を求めるレベル判定回路と、複数の記録層のそれぞれに対応する補正バイアス値を保持して要求に応じて出力する補正バイアス生成器と、補正バイアス値の供給を受けながら、焦点合わせを行うに要する電圧値を出力する焦点レベル生成器と、焦点レベル生成器が出力する電圧値に応じて焦点方向駆動コイルに駆動信号を出力する焦点方向駆動アンプと、を備えるようにしてもよい。
【００１１】
第２の展開形態の光ディスク装置において、レベル判定回路は、分離された焦点制御信号成分の高周波成分の最大値を記憶するピークホールド回路と、ピークホールド回路の出力をデジタル数値に変換するＡＤ変換器とを備え、補正バイアス生成器は、ＡＤ変換器の出力データを複数の記録層のそれぞれに対応させてそれぞれ記憶する複数の補正バイアス生成回路を備え、記録再生領域のアクセス時に、アクセス対象となる記録層に対応して複数の補正バイアス生成回路の一つを選択し、出力される出力値を焦点レベル生成器に供給するようにしてもよい。
【００１２】
本発明の１つのアスペクトに係る光ディスクは、同心円状に形成される溝を有する記録再生領域と、所定の領域に一定幅の半径方向の溝を形成した校正領域とを有し、該校正領域に、少なくともそれぞれ波長の異なるレーザ光に対応する複数の記録層を備える。
【００１３】
第１の展開形態の光ディスクにおいて、複数の記録層にそれぞれ対応する記録層を記録再生領域に備えてもよい。
【００１４】
本発明の１つのアスペクトに係るフォーカスサーボ方法は、同心円状に形成される溝を有する記録再生領域と、所定の領域に一定幅の半径方向の溝を形成した校正領域とを有し、該校正領域には、少なくともそれぞれ波長の異なるレーザ光に対応する複数の記録層が存在する光ディスクを光ディスク装置がアクセスしてフォーカスサーボを行う方法であって、ディスクアクセスの初期化において、校正領域にそれぞれ波長の異なるレーザ光を順次照射して得られる反射光が合焦となるそれぞれの位置に対応するそれぞれのフォーカスサーボの補正バイアス値を保持するステップと、記録再生領域のアクセス時に、所定の波長のレーザ光を記録再生領域に照射して得られる反射光の焦点合わせを、所定の波長のレーザ光に対応する補正バイアス値に基づいて行うステップと、を含む。
【００１５】
第１の展開形態のフォーカスサーボ方法において、補正バイアス値を保持するステップにおいて、反射光を電気信号に変換して得たセンサ信号の振幅から反射光が合焦となる位置を判定し、電気信号の高周波成分の振幅が最大値となる時点のセンサ信号のレベルを元に補正バイアス値を求めるようにしてもよい。
【００１６】
本発明の１つのアスペクトに係るプログラムは、同心円状に形成される溝を有する記録再生領域と、所定の領域に一定幅の半径方向の溝を形成した校正領域とを有し、該校正領域には、少なくともそれぞれ波長の異なるレーザ光に対応する複数の記録層が存在する光ディスクをアクセスする光ディスク装置を構成するコンピュータに、校正領域にそれぞれ波長の異なるレーザ光を順次照射して得られる反射光が合焦となるそれぞれの位置に対応するそれぞれのフォーカスサーボの補正バイアス値を保持するディスクアクセス初期化処理と、所定の波長のレーザ光を記録再生領域に照射して得られる反射光の焦点合わせのためのサーボ信号を、所定の波長のレーザ光に対応する補正バイアス値に基づいて生成する記録再生領域アクセス処理と、を実行させる。
【００１７】
第１の展開形態のプログラムにおいて、ディスクアクセス初期化処理において、反射光を電気信号に変換して得たセンサ信号の振幅から反射光が合焦となる位置を判定し、電気信号の高周波成分の振幅が最大値となる時点のセンサ信号のレベルを元に補正バイアス値を求めるようにしてもよい。
【発明の効果】
【００１８】
本発明によれば、複数の記録層を持つ光ディスクのアクセスに際し、記録層毎に焦点ずれ校正領域を設けた光ディスクを用いて記録層毎に補正値を求め、この補正値を用いて焦点ずれを補正することで正確に焦点合わせを行うことができる。
【発明を実施するための最良の形態】
【００１９】
図１は、本発明の実施形態に係る光ディスクの構造を模式的に示す図である。図１において、光ディスク１０は、同心円もしくはスパイラル状に形成されるトラック方向の溝を有する記録再生領域１１と、光ディスクの所定の領域、例えば内周付近の一定領域に一定幅の半径方向の溝を形成した校正領域１２とを備える。さらに、光ディスク１０は、複数の記録層、例えば、波長λａ用の記録層Ａ、波長λｂ用の記録層Ｂ、波長λｃ用の記録層Ｃを備える。
【００２０】
校正領域１２は、例えば内周付近の幅３ｍｍの区間に、半径方向の溝の深さがそれぞれの記録層に対応して照射されるレーザ光の波長λの１／４となるように形成され、また溝の間隔をレーザ光の波長λと同じかもしくは波長λに近い間隔で形成される。このような構造としたことにより、照射したレーザ光は、光ディスク記録面の溝の部分凹部からの反射光と、凸部からの反射光との位相差はλ／４×２＝λ／２となり、凹部と凸部との境界では加算効果が生じ、焦点制御用の反射光が得られる。
【００２１】
図２は、本発明の実施形態に係る光ディスク装置の構成を示すブロック図である。図２において、光ディスク装置は、光ヘッド２０、前置増幅器３０、焦点合わせ制御回路４０、トラック制御回路６０を備える。また、光ヘッド２０は、レーザ光発生器２１、回析格子２２、ハーフミラー２３、コリメータレンズ２４、対物レンズ２５、光センサ２６、焦点方向駆動コイル２７、トラック方向駆動コイル２８を備える。
【００２２】
レーザ光発生器２１は、複数の波長のレーザ光Ａ、Ｂ、Ｃを選択的に出力する。回析格子２２は、レーザ光発生器２１によって照射されたレーザ光の偏光面を通過させ、あるいは反射光をレーザ光発生器２１に帰還させないように機能する。ハーフミラー２３は、レーザ光を光ディスク面に照射し、反射光を光センサ２６に透過させる。コリメータレンズ２４は、拡散された光を平行光に変換する。対物レンズ２５は、焦点方向あるいは光ディスク１０の半径方向に可動し、光ディスク１０の記録面に照射光の焦点を一致させたり照射光をトラック軌道に合わせたりする。光センサ２６は、光ディスク１０の記録面の反射光を受光して電気信号に変換する。また、前置増幅器３０は、光センサ２６によって電気信号に変換された信号を増幅して光センサ信号Ｖｓを焦点合わせ制御回路４０に出力する。焦点合わせ制御回路４０は、光センサ信号Ｖｓを元に駆動信号を生成して焦点方向駆動コイル２７を動作させる。焦点方向駆動コイル２７は、駆動信号に基づいて対物レンズ２５を駆動する。さらに、トラック制御回路６０は、光センサ信号Ｖｓを元にトラック方向駆動コイル２８を駆動し、対物レンズ２５を光ディスクの半径方向に移動させる。
【００２３】
図３は、焦点合わせ制御回路４０の構成を表すブロック図である。焦点合わせ制御回路４０は、低域フィルタ４１、高域フィルタ４２、反射光ピークレベル判定器４３、焦点位置補正バイアス生成器４４、焦点レベル生成器４５、レンズ位置判定回路４６、マイクロコンピュータ４７、初期焦点合わせ回路４８、アナログスイッチ４９、焦点方向駆動アンプ５０を備える。
【００２４】
焦点合わせ制御回路４０は、ディスクアクセスの初期化において、校正領域１２にそれぞれ波長の異なるレーザ光を順次照射して得られる反射光が合焦となるそれぞれの位置に対応するフォーカスサーボの補正バイアス値を焦点位置補正バイアス生成器４４にそれぞれ保持する。この初期位置制御の状態では、レンズ位置判定回路４６、マイクロコンピュータ４７、初期焦点合わせ回路４８、アナログスイッチ４９、焦点方向駆動アンプ５０の経路によって発生する駆動信号で焦点方向駆動コイル２７が駆動される。
【００２５】
また、焦点合わせ制御回路４０は、記録再生領域１１のアクセス時に、所定の波長のレーザ光を記録再生領域１１に照射して得られる反射光の焦点合わせにおいて、所定の波長のレーザ光に対応する補正バイアス値に基づいて駆動信号を出力する。この自動焦点合わせ状態では、低域フィルタ４１、焦点レベル生成器４５、アナログスイッチ４９、焦点方向駆動アンプ５０の経路によって発生する駆動信号で焦点方向駆動コイル２７が駆動される。
【００２６】
高域フィルタ４２は、光センサ信号Ｖｓの高周波成分の電圧Ｖａｃを通過させて反射光ピークレベル判定器４３に出力する。反射光ピークレベル判定器４３は、光センサ信号Ｖｓの高周波成分の電圧Ｖａｃの最大レベル値（ピーク値）を保持し、ＡＤ変換して焦点位置補正バイアス生成器４４に出力する。焦点位置補正バイアス生成器４４は、対物レンズ２５の合焦点位置を制御するための焦点レベル生成器４５に対し、光ディスク１０の反射率の違いを反映した反射光ピークレベル判定器４３のデータから、補正バイアスを焦点レベル生成器４５に対して供給する。
【００２７】
次に、光ディスク装置の動作について説明する。図４は、本発明の実施形態に係る光ディスク装置の動作を表すフローチャートである。
【００２８】
光ディスク装置の電源が投入されると（ステップＳ１）、マイクロコンピュータ４７にプログラムされている制御により、装置の初期状態を認識し（ステップＳ２）、光ディスク１０の装填待ちとなる（ステップＳ３）。
【００２９】
光ディスク１０が装填されると、光ディスク１０を回転させ（ステップＳ４）、焦点の引込み動作を実行する（ステップＳ５）。この焦点引込み動作では、焦点合わせ制御回路４０によって次のような焦点合わせが行われる。
【００３０】
図５は、対物レンズ２５の位置と光センサ信号Ｖｓの電位の関係を示す図である。合焦位置の電位をＶｓｊ、焦点引込み位置の電位（自動焦点合わせ開始電位）をＶｓｐ、焦点引込み位置より遠位置の電位をＶｓｆ、合焦位置付近の電位をＶｓｘ、Ｖｓｙ、合焦位置付近よりレンズ側の位置の電位をＶｓｚとする。各々の電位は、Ｖｓｆ＞Ｖｓｐ＞Ｖｓｘ＞Ｖｓｊ＞Ｖｓｙ＞Ｖｓｚの関係にある。また光センサ信号Ｖｓは、記録データの高周波成分の電圧Ｖａｃと焦点ずれ量を示す電圧Ｖｄｃとの加算電圧であり、Ｖｓ＝Ｖａｃ＋Ｖｄｃの関係にある。
【００３１】
初期焦点合わせ回路４８の出力は、マイクロコンピュータ４７の制御により、アナログスイッチ４９を介し、対物レンズ２５を遠位置から徐々に近位置に駆動する電位を焦点方向駆動アンプ５０に出力し、焦点方向駆動アンプ５０は、対物レンズ２５を焦点方向に移動させる。これに伴い、図５に示すように、対物レンズ２５の位置に応じて光センサ信号Ｖｓが変化する。合焦点付近では、特に偏心によってレーザビームスポットを横断するデータトラックの凹凸が高域フィルタ４２によって光センサ信号Ｖｓの高周波成分の電圧Ｖａｃとして大きく捉えられるようになる。
【００３２】
焦点引き込みに成功すれば、次に、レーザビームのスポットをデータトラック軌道上に載せるトラック制御回路６０を作動させる（ステップＳ６）。さらに、トラック方向駆動コイル２８を通じて対物レンズ２５を制御し、データトラック軌道上にレーザビームスポットが維持されるようにする。
【００３３】
次に、データの記録または再生を行う目的のトラックまで移動し（ステップＳ７）、データの記録・再生処理を行い（ステップＳ８）、同一光ディスクでのデータ記録・再生が終わるまで（ステップＳ９）、ステップＳ７からステップＳ９を繰り返す。
【００３４】
データの記録・再生が終了した後は、光ディスクが取り出されたかどうかを確認し（ステップＳ１０）、新たな光ディスク装填を待ち受ける（ステップＳ３）。
【００３５】
次に、焦点合わせの動作について詳述する。図６は、焦点ずれ校正と焦点引込みを行うステップＳ５の詳細を示すフローチャートである。
【００３６】
対物レンズ２５の位置が図５に示す遠位置ＶｓｆになるデータＤｆを初期焦点合わせ回路４８に入力する（ステップＳ５１）。初期焦点合わせ回路４８の出力が焦点方向駆動アンプ５０に入力されるようにアナログスイッチ４９を切り換える（ステップＳ５２）。
【００３７】
対物レンズ２５を遠位置から近位置方向に駆動するデータＤｆ＋１を初期焦点合わせ回路４８に入力し（ステップＳ５３）、「光センサ信号Ｖｓ≧自動焦点合わせ開始電位Ｖｓｐ」となったか否かを監視する（ステップＳ５４、Ｓ５５）。「Ｖｓ＜Ｖｓｐ」の場合は、「Ｖｓ≧Ｖｓｐ」となるまでステップＳ５３、Ｓ５４を繰り返す。
【００３８】
「Ｖｓ≧Ｖｓｐ」となった時点から、ピークホールドデータＰｄを反射光ピークレベル判定器４３によって監視し（ステップＳ５６〜Ｓ６０）、Ｐｄが変化しなくなった時点における初期焦点合わせ回路４８の出力電圧Ｖｆを記憶する（ステップＳ６１）。
【００３９】
焦点位置補正バイアス生成器４４の一つの回路、例えば補正バイアス回路４４ａにピークホールドデータＰｄを取り込み、焦点レベル生成器４５にバイアス電圧を出力し（ステップＳ６２）、「焦点レベル生成器の出力電圧Ｖｏ＝初期焦点合わせ回路４８の出力電圧Ｖｆ」となることを確認する（ステップＳ６３）。
【００４０】
「Ｖｏ＝Ｖｆ」となった時点で、焦点レベル生成器４５と焦点方向駆動アンプ５０とを接続するようにアナログスイッチ４９を切り換える（ステップＳ６４）。
【００４１】
以上のように動作する焦点合わせ制御回路４０の動作によって、対物レンズ２５→光センサ２６→前置増幅器３０→低域フィルタ４１→焦点レベル生成器４５→アナログスイッチ４９→焦点方向駆動アンプ５０→焦点方向駆動コイル２７→対物レンズ２５からなる閉回路が形成され、所望の記録層に対する合焦位置の電位Ｖｓｊを維持するように制御される。
【００４２】
なお、ステップＳ６０において、ピークホールドデータＰｄが変化しない場合、あるいは近似データを得られない場合には、光ディスク担体または光ディスク装置の異常を示すエラーを表示し（ステップＳ６５）、終了する。
【００４３】
以上のように、光ディスク装置は、媒質の異なる複数の記録層を持つ光ディスクのアクセスに際し、記録層毎に焦点ずれ校正領域を設けた光ディスクを用いて補正値を求め、記憶した補正値を元に焦点合わせを行うように動作する。したがって、複数の記録層を持つ光ディスクのアクセスであっても、より正確な焦点合わせを行うことが可能となる。
【図面の簡単な説明】
【００４４】
【図１】本発明の実施形態に係る光ディスクの構造を模式的に示す図である。
【図２】本発明の実施形態に係る光ディスク装置の構成を示すブロック図である。
【図３】焦点合わせ制御回路の構成を表すブロック図である。
【図４】本発明の実施形態に係る光ディスク装置の動作を表すフローチャートである。
【図５】対物レンズの位置と光センサ信号の電位の関係を示す図である。
【図６】焦点ずれ校正と焦点引込みを行うステップの詳細を示すフローチャートである。
【符号の説明】
【００４５】
１０  光ディスク
１１  記録再生領域
１２  校正領域
２０  光ヘッド
２１  レーザ光発生器
２２  回析格子
２３  ハーフミラー
２４  コリメータレンズ
２５  対物レンズ
２６  光センサ
２７  焦点方向駆動コイル
２８  トラック方向駆動コイル
３０  前置増幅器
４０  焦点合わせ制御回路
４１  低域フィルタ
４２  高域フィルタ
４３  反射光ピークレベル判定器
４４  焦点位置補正バイアス生成器
４４ａ〜４４ｃ  補正バイアス回路
４５  焦点レベル生成器
４６  レンズ位置判定回路
４７  マイクロコンピュータ
４８  初期焦点合わせ回路
４９  アナログスイッチ
５０  焦点方向駆動アンプ
６０  トラック制御回路
【図１】
2007305226.tif 000003
【図２】
2007305226.tif 000004
【図３】
2007305226.tif 000005
【図４】
2007305226.tif 000006
【図５】
2007305226.tif 000007
【図６】
2007305226.tif 000008